(57)【要約】【課題】効率的な身支度のための住宅設備の提供【解決手段】住宅の設計において、居住者が外部に出かける場合の身支度に必要な家具、装置、衣類、身の回り品、装飾品等を出掛ける場合の身支度動線順に集約的に配した身支度動線配慮スペースを住宅の玄関近くに設ける。また、全身鏡、外套衣服関係収納、かばん収納、装身具収納、通信・郵便物処理部、着替えスペース、洗濯ストック収納、化粧・コンタクト用洗面設備等、迅速な身支度に必要な設備をセットにする。【選択図】図１
2004011119.tif 000002
【特許請求の範囲】
【請求項１】
住宅の設計において、居住者が外部に出かける場合の身支度に必要な家具、装置、衣類、身の回り品、装飾品等を出掛ける場合の身支度動線順に集約的に配した身支度動線配慮スペースを住宅の玄関近くに設けたことを特徴とする身支度動線配慮住宅設計方法。
【請求項２】
請求項１記載の身支度動線配慮スペースを１つの独立した部屋と設計したことを特徴とする身支度動線配慮住宅設計方法。
【請求項３】
該身支度動線配慮スペースを玄関脇の通路兼用スペースに設けたことを特徴とする身支度動線配慮住宅設計方法。
【請求項４】
請求項１から３記載のいずれかの身支度動線配慮スペースを有した住宅
【請求項５】
全身鏡、外套衣服関係収納、かばん収納、装身具収納、通信・郵便物処理部、着替えスペース、洗濯ストック収納、化粧・コンタクト用洗面設備等、迅速な身支度に必要な設備をセットにした身支度用システムユニット。
【請求項６】
前記洗濯ストック収納は、洗濯室及び身支度動線配慮スペースの両方と連通可能となっていることを特徴とする身支度用システムユニット。
【請求項７】
前記化粧・コンタクト用洗面設備は、洗面室戸棚と連通しており、どちら側からも洗浄剤及び部品が設置取り出し可能としたことを特徴とする身支度用システムユニット。
【請求項８】
該身支度用システムユニットは、分轄構成として使用者毎に利用可能としたことを特徴とする請求項５乃至６記載の身支度用システムユニット。
【発明の詳細な説明】
【０００１】
【発明の属する技術分野】
本発明は身支度の機能を有するスペースあるいは部屋を有する住宅の設計方法および、身支度用のシステムユニットを提供するものである。
【０００２】
【従来の技術】
従来、身支度に必要なものは、住宅のいろいろな場所に分散されて収納してあった。たとえば、衣類は奥の洋服たんすあるいは、２階の寝室、化粧道具は１階の浴室横の洗面所あるいは２階の寝室内の鏡台、コンタクトは洗面所、カバンは押し入れあるいは机の横というようにである。
【０００３】
【発明が解決しようとする課題】
したがって、出かけようとする場合には、住宅のあちこち、時には２階と１階を行ったり来たりしなければならず、出かけるのに非常に時間がかかる状況となっているのが現状であった。
また、帰宅した場合も同様であり、出かける時に用意した逆を辿って、住宅内を行ったり来たりして収納する必要があった。また、時計や小物類の決まった場所を決めていない者あるいは老人等では、それらをどこに置いたかがわからなくなり、出かけるたびにそれらを探し回るといった状況が発生し、外出が億劫となる原因ともなっていた。昨今の忙しい現代人、特に共働き世帯や、痴呆性の老人人口が急増している現代において、外出用の迅速な身支度を支援する家具や設備が要望されている。
【０００４】
【課題を解決するための手段】
上記の課題を解決するために、本発明の身支度動線配慮住宅設計方法は、住宅の設計において、居住者が外部に出かける場合の身支度に必要な家具、装置、衣類、身の回り品、装飾品等を出掛ける場合の身支度動線順に集約的に配した身支度動線配慮スペースを住宅の玄関近くに設けたことを要旨とする。
【０００５】
さらに、本発明の身支度動線配慮住宅設計方法は、該身支度動線配慮スペースを１つの独立した部屋と設計したことを要旨とする。
【０００６】
また、本発明の身支度動線配慮住宅設計方法は、該身支度動線配慮スペースを玄関脇の通路兼用スペースに設けたことを要旨とする。
【０００７】
本発明の住宅は身支度動線配慮スペースを有していることを要旨とする。
【０００８】
本発明の身支度用システムユニットは、全身鏡、外套衣服関係収納、かばん収納、装身具収納、通信・郵便物処理部、着替えスペース、洗濯ストック収納、化粧・コンタクト用洗面設備等、迅速な身支度あるいは逆に帰宅時の身支度を解く場合において、必要な設備をセットにしたことを要旨とする。
【０００９】
さらに、本発明の身支度用システムユニットは、前記洗濯ストック収納が、洗濯室及び身支度動線配慮スペースの両方と連通可能となっていることを要旨とする。
【００１０】
また、本発明の前記化粧・コンタクト用洗面設備は、洗面室戸棚と連通しており、どちら側からも洗浄剤及び部品が設置取り出し可能としたことを要旨とする。
【００１１】
最後に本発明の該身支度用システムユニットは、分割構成により使用者毎に利用可能としたことを要旨とする。
【００１２】
【発明の実施の形態】
本発明は、身支度のために必要なものが集中的に準備できるように設計された住宅やシステムユニットを提供するものである。
これらの身支度動線配慮住宅設計においては、スペースが十分あれば、１つの部屋を充当しても良いし、あるいは部屋の中のスペースあるいは廊下等のスペースを利用しても良い。設置場所は、玄関に近い方が効率が良いであろうが、これに限定されず、クローゼットの関係から２階奥の寝室内に設ける、あるいは、洗面・化粧の関係から洗面所の近くに設けても良いことはもちろんである。
また、身支度に必要な物や設備がシステム的にセットされているシステムユニットとして設けても良い。また、一軒の住宅には、住人の数だけ身支度用システムユニットを設けても良いし、１つの身支度用システムユニットあるいは１つの部屋を身支度動線配慮スペースとした場合は、１つの部屋を共通で使用しても良い。さらに、大人と子供の身支度用システムユニットにおいては、背の高さの違いを利用して、上下に分割してユニットを構成し、母と子がお出かけする場合に、上下で同時に使用可能とすることもできる。其の場合、子供が成長して独立後は、母の身支度用スペースとしても良いし、住宅の別の収納場所としても良い。さらに、身支度動線配慮用設計やシステムに、どのような設備を組み込むかは自由であり、住人の好みや業種その他あらゆる要素により多種類の組み合わせが可能である。さらに、本来住宅内に備え付けられている設備と重なる設備、たとえば洗面等にあっては、ごく小さく簡単なものとしたり、本来の設備の背面に身支度用の設備を設け、洗浄液や化粧品等がどちらの側からも使用可能とするなど、既存設備をできるだけ有効利用する形が好ましい。
【００１３】
【実施例】
本発明の実施例を図面を参照して以下詳述説明する。
［実施例１］
本発明の第１実施例について、図１を参照して説明する。図１は、親と同居している子女が２階を使用しており、自分の部屋の一部に身支度動線配慮スペースを設けた住宅を設計した場合の例である。図１（ａ）が２階の間取り図であり、図１（ｂ）は身支度動線配慮スペース（１）の概略説明図である。図１において、（１）は身支度動線配慮スペースであり、（２）から（５）の各スペースおよび（６）の全身鏡により１つの身支度動線配慮スペースが完成する。（２）はクロゼットであり、（２ａ）がオーバー・コート用、（２ｂ）がスーツ用、（２ｃ）はセーター・ブラウス用の収納スペースである。（３）は事務通信スペースであり、（３ａ）は予定表等の貼付スペースとしてのコルクボード、（３ｂ）はパソコン、（３ｃ）は引出しである。（４）は簡単洗面化粧スペースであり、（４ａ）は小窓、（４ｂ）は簡易洗面、（４ｃ）は拡大鏡、（４ｄ）は洗濯物入れ、（４ｅ）はクリーニング入れである。（５）は小物・カバンスペースであり、（５ａ）はカバン・荷物置き場、（５ｂ）はアクセサリー入れ、（５ｃ）はマフラー・スカーフ・ストッキング入れ、（５ｄ）は手袋・ハンカチ入れである。（６）は全身鏡である。
このような身支度動線配慮スペースがあれば、身支度を集約的に１箇所で準備でき、特に仕事を持つ人にあっては、短時間で身支度のすべてが完了することになる。使用方法を以下、出かける前と帰宅時に分けて説明する。
（出かける場合）
まず、クロゼット（２）で、本日の服装を取り出し着替える。そして、コンタクトに変えたり、髪をセットしたり、お化粧を（３）で整える。そのとき、本日の天候を小窓（４ａ）で確認し、天候に合った、化粧や髪型、服装を想定して行う。さらに、（５ｂ）でアクセサリーや手袋、マフラー、ストッキングを用意し、本日の用事に適したカバンを取り出し、そして、全身の採集チェックを全身鏡で行い、身支度が完了することとなる。また、緊急の連絡が電子メールで送られて来る人であれば、出かける前にもメールを事務通信スペース（３）でチェックすることも可能となる。このような集約的身支度スペースがあれば、家のあちこちを動き回ることなく短時間で身支度のすべてが完了し非常に忙しい朝の出勤が楽に整うこととなる一方、忘れ物もなくなり事務処理上も好ましい。
（帰宅時）
帰宅した場合は、自宅の郵便受けに新聞や郵便物が届いている場合が多く、まず、これらを無くさない用事務通信スペース（３）に置く。次にオーバーや各種小物を収納し、簡単洗面化粧スペース（４）で手洗いうがいを行う。さらに、着替えが必要であれば、着替えを済ませ、洗濯物は（４ｄ）に入れ、クリーニングに出すものは（４ｅ）に入れる。そして、先ほどの郵便物のチェック、メールのチェック、仕事において発生した伝票の整理、本日の残務仕事（自宅において処理すべき書類）があれば、忘れないよう机に出し、カバンをカバン置き場（５ａ）に収納する。
このように、身支度動線配慮スペースを利用することで、帰宅時にも、手洗いうがいの励行や、身支度に使用した物の整理が瞬時に行え、アクセサリーを無くしたり、手袋を無くしたりすることがなくなる。また、溜まり勝ちな郵便物の処理や返信の処理が帰宅時にシステム的に行うことも可能となり、時間を効率良く利用することができる。
［実施例２］
本発明の第２実施例について、図２を参照して説明する。図２は、身支度のスペースを１つの部屋として設計した実施例を示す説明図である。図３は身支度の動線を図示したものである。
図において、実施例１と同一符号は同一のスペースを示す。図において、（１０）は身支度用部屋であり、（７）は種類別収納棚である。この棚の使い方は自由であり、たとえば、（７ａ）がＣＤ収納棚、（７ｂ）がカセット収納棚，（７ｃ）が香水棚というように、その日の気分で、外出時に聞きたいＣＤを選んだり、その日の外出の服装に合わせて香水が選べるように取りやすく工夫された棚である。一般に壁一面を棚にする場合もあるが、その場合であれば、どこからどこまでが１種類のまとまりかわかりにくく、好ましくなかった。（写真でいただいている十文字形の棚も図示してみようかと思っています。）
このように、１つの部屋そのものを身支度用に使用すると、単なるスペースを身支度用に使用する場合に比べて、落ち着いて身支度が可能となり、また、少し時間があれば、その日の仕事の段取りを考えたり、音楽を聞いて神経を仕事に向くように調整して出かけるというようなことも可能となる。また、１つの部屋であれば、ある程度のスぺースが確保できるため、夫婦共働きのような場合は、事務スペース・全身鏡・洗面は共通とし、クロゼット（２）と収納棚（７）は複数設けるなどの工夫が可能となる。また、独立した部屋であるため、帰宅後や休日には書斎として使用するなども可能である。このような身支度用部屋の利用動線は図３のようになる。実線が出かける場合の動線であり、点線が帰宅時の動線の一例となる。
［実施例３］
本発明の第３実施例について、図４（ａ）を参照して説明する。図４（ａ）は、身支度用の設備と住宅内の本設備との連携を図った実施例である。たとえば、身支度用の簡易洗面においても、本来の洗面においても、手を洗う石鹸やコンタクト用の洗浄液は共通であり、化粧品においても同様で、住宅内に２箇所の設備を設けると、それぞれ２つづつ用意する必要があったがこれは非常に無駄である。そこで、簡易洗面を本来の洗面の裏手、すなわち、背中合わせとなるよう設定し、一部壁を設けず、どちらからも、洗浄液等が取れるように工夫したものである。このようにすることで、１つの洗剤やコンタクト、化粧品を取りに行くために家の中を走り回るということがなくなり、時間の節約と収納の簡素化に役立つ。さらに、図示していないが、身支度スペースで出た洗濯物も、本来の洗濯室からも取り出せるようにすると家事効率が良くなる。
［実施例４］
本発明の第４実施例について、図４（ｂ）を参照して説明する。図４（ｂ）は、玄関脇に身支度用システムユニット（１１）を設置した実施例である。さらに、この身支度用システムユニットでは、大人用のみにも使用可能であるが、子供が小さい場合も想定して、主にシステムユニットの下方を子供用ユニット（１７）に流用可能としている。（１６）が大人用ユニット、（１３）が玄関、（１４）が廊下、（１５）が簡易洗面であり、子供も使用可能なように高さを低めにしている。（１５ａ）はメモボード、（１５ｂ）はカギ置き場であり、帰宅した子供が手う前にカギを置き、手を洗いながらメモを見て母親の伝言が目に付くようになっている。
今、母親と子供（５歳、幼稚園）のお出かけを想定してみよう。子供はあまり、外との接触が苦手で、幼稚園に行きたがらないとしよう。このような状況でも、子供は一般に親の真似を好んで行う傾向があるので、上は母親、下は子供用のお出かけ用家具ということをいい聞かせておく。そして、母親といっしょに身支度を習得させるように、母親が模範を示しながら、子供に真似させるようにする。母親がハンカチを取り出すと自分もハンカチを取り出し、母親が着替えはじめると、真似をして子供も下の扉を開くという風に、うまく真似心を利用することが可能となる。子供が成長した後は、子供用のスペースもカバン置き場や、帽子置き場等大人用の身支度動線配慮スペースに復活させれば良い。
このように、本発明の身支度用システムユニットは、廊下の左右にそれぞれ１ユニットを設置して、夫と妻でそれぞれ１ユニットずつ利用しても良いし、上下流用型ユニットとして子供用にも対応可能としても良い。さらに、実施例１に示した各スペース（２）から（５）を各ユニットとして、必要なもののみを組み合わせてセットとすることが可能である。
【００１４】
【発明の効果】
本発明は、以上説明したように、従来住宅のいろいろな場所に関連なく収納されていた身支度用の衣類・小物を１箇所に集約的に収納しているため、身支度あるいは帰宅時の身支度を解く動作が効率的に確実に行え、時間の短縮が図れると共に、収納場所が誰にでも明確で、支度のできにくくなったお年よりの介護も容易となると共に、小物や郵便物をなくす危険性を減少させることができる。
【００１５】
【図面の簡単な説明】
【図１】（ａ）本発明の実施例１を示すもので、身支度動線配慮スペースを有した住宅の２階間取り図を示す。
（ｂ）身支度動線配慮スペースの概略説明図である。
【図２】本発明の実施例２を示すもので、身支度のスペースを１つの部屋として設計した場合を示す説明図である。
【図３】身支度の動線を図示したものである。
【図４】（ａ）本発明の第３実施例の身支度用システムユニットを示す説明図で、身支度用の簡易洗面設備と住宅内の洗面設備との連携を図った状態を示す説明斜視図である。
（ｂ）本発明の第４の実施例を示した説明図で、上下分割構成の大人子供流用型ユニットを示した図である。
【符号の説明】
１　　身支度動線配慮スペース
２　　クロゼット
３　　事務通信スペ−ス
４　　簡易洗面化粧スペース
５　　小物・カバンスペース
６　　全身鏡
７　　種類別収納棚
１０　身支度用部屋
１１　身支度用システムユニット
１３　玄関
１４　廊下
１５　簡易洗面
１６　大人用ユニット
１７　子供用ユニット
【図１】
2004011119.tif 000003
【図２】
2004011119.tif 000004
【図３】
2004011119.tif 000005
【図４】
2004011119.tif 000006